(57)【特許請求の範囲】
【請求項１】
摺動子を有する回転体と、この回転体を回転自在に支持する受け部材と、前記回転体を中立位置に自動復帰させる弾性部材と、摺動パターンが形成された基板とを備え、前記回転体の回転に伴って前記摺動子が前記摺動パターン上を摺動する回転操作型電気部品において、
前記回転体の両方の回転末端位置で動作されるスイッチを、前記回転体の両方の回転末端位置にそれぞれ設けたことを特徴とする回転操作型電気部品。
【請求項２】
請求項１の記載において、前記スイッチは可動接点が固定接点に対して接離するプッシュスイッチであり、前記回転体に前記可動接点を押圧するための押圧子を設けると共に、この押圧子が回転する回動面に対して前記プッシュスイッチを略直交するように配置したことを特徴とする回転操作型電気部品。
【請求項３】
請求項２の記載において、前記押圧子を前記回転体から半径方向に突設させ、前記プッシュスイッチを前記回転体の側方に配置したことを特徴とする回転操作型電気部品。
【請求項４】
請求項２または３の記載において、前記基板はフレキシブル基板であり、このフレキシブル基板の延出部に前記プッシュスイッチの固定接点を設けたことを特徴とする回転操作型電気部品。
【請求項５】
請求項４の記載において、前記受け部材を前記フレキシブル基板を介して支持板に固定し、この支持板に前記フレキシブル基板の延出部が固定される起立片を設けたことを特徴とする回転操作型電気部品。
【請求項６】
請求項４または５の記載において、前記プッシュスイッチの可動接点は反転時にクリック感を生起するドーム状のタクトばねからなり、このタクトばね上に消音シートを積層したことを特徴とする回転操作型電気部品。
【請求項７】
請求項４または５の記載において、前記プッシュスイッチの可動接点は反転時にクリック感を生起するドーム状のタクトばねからなり、このタクトばねが反転した後の前記回転体の過回転を阻止するストッパ部を前記受け部材に設けたことを特徴とする回転操作型電気部品。
【請求項８】
請求項１〜７のいずれかの記載において、前記回転体の天面中央に嵌合部を設け、この嵌合部に係合する操作レバーを介して前記回転体が回転操作されることを特徴とする回転操作型電気部品。
【発明の詳細な説明】
【０００１】
【発明の属する技術分野】
本発明は、回転体を回転動作することによって抵抗値等を変化させる回転操作型電気部品に係り、特に、回転体を中立位置に自動復帰させるセルフリターン機能を有する回転操作型電気部品に関する。
【０００２】
【従来の技術】
この種のセルフリターン機能を有する回転操作型電気部品は、例えばビデオカメラのズームイン・アウトの動作手段として用いられており、その従来例として実開平６−２６１３０号公報に記載のものが知られている。
【０００３】
上記公報に記載された回転操作型電気部品は、摺動子を有する回転体と、この回転体を回転自在に支持する受け部材と、回転体を中立位置に自動復帰させる戻しばねと、回転体と対向するように受け部材に固定された抵抗基板等によって概略構成されており、回転体には操作者の手指等によって押圧操作される操作レバーが一体化されている。
【０００４】
このように構成された回転操作型電気部品では、操作者が操作レバーをいずれか一方の端部側へ押圧操作すると、回転体が戻しばねの弾発力に抗して中立位置からいずれか一方向へ回転し、摺動子が抵抗基板に形成された抵抗パターン上を摺動することにより、抵抗基板から出力される抵抗値が変化する。したがって、例えば、この抵抗値変化を検出してモータの回転方向と回転速度を制御することにより、操作レバーの押圧方向に応じてズームインあるいはズームアウト動作を行うことができる。また、操作者が操作レバーに対する押圧力を除去すると、回転体は戻しばねの弾発力によって中立位置へ自動復帰し、操作レバーも回転体に連動して初期状態に復帰する。
【０００５】
【発明が解決しようとする課題】
このように、セルフリターン機能を有する回転操作型電気部品では、操作レバーに対する押圧力を除去すると、回転体が戻しばねの弾発力によって中立位置へ自動復帰するようになっているため、非使用状態で回転体は常に中立位置に保持され、この中立位置を基準として回転体を互いに逆方向へ回転させることができる。
【０００６】
しかしながら、前述した従来技術のように、この種の回転操作型電気部品をビデオカメラのズームイン・アウトの動作手段として用いた場合、回転体の回転角度に伴って変化する抵抗値に基づいて、モータを制御してズームインまたはズームアウト動作時のズーム率を変更するようになっているため、例えばズーム率を最大にしたい場合、モータがズーム率を最大にする前に操作レバーへの押圧力を除去すると、回転体が中立位置へ自動復帰してズーム率が最大になる途中でモータの駆動が停止することになる。このため、操作者はズーム率が最大になるまでの所定時間だけ操作レバーの押圧操作を継続しなければならず、操作者にとってはその時間が長く感じる場合もあり、使い勝手を良くするという点で改善の余地があった。
【０００７】
【課題を解決するための手段】
本発明は、セルフリターン機能を有する回転操作型電気部品において、回転体の回転角度に応じて変化する抵抗値等の出力信号とは別に、回転体の回転末端位置で動作されるスイッチを設けることとする。このようなスイッチを有する回転操作型電気部品によれば、回転体の回転末端位置でスイッチが動作されるため、ビデオカメラのズームイン・アウトの動作手段として用いた場合、回転体が回転末端位置に達したことをスイッチによって検出し、この検出信号に基づいてズーム率を瞬時に変更することができ、操作者にとって使い勝手を良好にすることができる。
【０００８】
【発明の実施の形態】
本発明の回転操作型電気部品では、摺動子を有する回転体と、この回転体を回転自在に支持する受け部材と、前記回転体を中立位置に自動復帰させる弾性部材と、摺動パターンが形成された基板とを備え、前記回転体の回転に伴って前記摺動子が前記摺動パターン上を摺動する回転操作型電気部品において、前記回転体の両方の回転末端位置で動作されるスイッチを、前記回転体の両方の回転末端位置にそれぞれ設けた。
【０００９】
このように構成すると、回転体の回転末端位置でスイッチが動作されるため、ビデオカメラのズームイン・アウトの動作手段として用いた場合、回転体が回転末端位置に達したことをスイッチによって検出し、この検出信号に基づいてズーム率を瞬時に変更することができ、操作者にとって使い勝手を良好にすることができる。
【００１０】
前記スイッチは前記回転体の両方の回転末端位置でそれぞれ動作される一対のスイッチを設けると、ビデオカメラのズームイン・アウトの動作手段として用いた場合、両スイッチの検出信号に基づいてズーム率を瞬時に最大または最小にすることができる。
【００１１】
また、前記スイッチは前記基板に形成された固定接点に対して摺動子が可動接点として接離するものでも良いが、この摺動子とは別の可動接点が固定接点に対して接離するプッシュスイッチとなし、前記回転体にプッシュスイッチの可動接点を押圧するための押圧子を設けると共に、この押圧子が回転する回動面に対してプッシュスイッチを略直交するように配置すると、プッシュスイッチを回転体の回転末端位置を規制するストッパとして機能させることができる。
【００１２】
また、前記押圧子を前記回転体から半径方向に突設させ、前記プッシュスイッチを回転体の側方に配置すると、押圧子を含む回転体とプッシュスイッチとが高さ方向にオーバーラップして配置されるため、回転操作型電気部品の薄型化を図ることができる。
【００１３】
また、前記プッシュスイッチとして単品のものを用いても良いが、前記基板をフレキシブル基板とし、このフレキシブル基板の延出部にプッシュスイッチの固定接点を設けると、１枚のフレキシブル基板に摺動パターンとプッシュスイッチの固定接点とを形成することができ、部品点数の削減化や構造の簡略化を図ることができる。
【００１４】
また、前記受け部材を前記フレキシブル基板を介して支持板に固定し、この支持板に前記フレキシブル基板の延出部が固定される起立片を設けると、共通の支持板に受け部材とプッシュスイッチを固定することができ、組立作業と構造の簡略化を図ることができる。
【００１５】
また、前記プッシュスイッチは単に固定接点に対して可動接点が接離するだけでも良いが、この可動接点として反転時にクリック感を生起するドーム状のタクトばねを用いたクリック付きのプッシュスイッチの場合、このタクトばね上に消音シートを積層すると、操作者はタクトばねの反転時に生起されるクリック感によって回転体が回転末端位置に達したことを知ることができ、かつ、回転体の押圧子が消音シートを介してプッシュスイッチの可動接点を押圧するため、プッシュスイッチの動作時の衝突音を消音シートによって低減することができ、特に、タクトばねとして金属製の板ばねを用いた場合に有効である。
【００１６】
また、前記スイッチがドーム状のタクトばねを用いたクリック付きのプッシュスイッチの場合、このタクトばねが反転した後の回転体の過回転を阻止するストッパ部を受け部材に設けると、回転体の回転末端位置を規制するストッパ強度が高まり、回転体の過回転に起因するタクトばねの変形やへたりを防止することができる。
【００１７】
また、前記回転体の天面中央に嵌合部を設け、この嵌合部に係合する操作レバーを介して回転体を回転操作するように構成すると、嵌合部に係合する部分の形状を共通にすれば、操作レバーのデザインが変わっても回転操作型電気部品を共用することができ、回転操作型電気部品の汎用性が高まる。
【００１８】
【実施例】
実施例について図面を参照して説明すると、図１は回転操作型電気部品の平面図、図２は回転操作型電気部品の正面図、図３は回転操作型電気部品の底面図、図４は図１のIV−IV線に沿う断面図、図５は図２のＶ−Ｖ線に沿う断面図、図６は受け部材と捩じりコイルばねの取り付け状態を示す平面図、図７は回転体と捩じりコイルばねの取り付け状態を示す底面図、図８はフレキシブル基板の平面図、図９は回転体を末端位置まで回転した状態を一部破断して示す回転操作型電気部品の平面図、図１０は回転操作型電気部品の出力特性を示す説明図、図１１は回転操作型電気部品と操作レバーの斜視図である。なお、図８において、摺動子を仮想線にて描いている。
【００１９】
実施例に係る回転操作型電気部品１はビデオカメラのズーム用可変抵抗器であり、図１〜図４に示すように、支持板２と、この支持板２上に固定された受け部材３と、これら支持板２と受け部材３との間に挟持固定されたフレキシブル基板４と、受け部材３の内部に回転自在に収納された摺動子受け５と、この摺動子受け５に一体化された回転体６と、この回転体６を中立位置に自動復帰させる弾性部材としての捩じりコイルばね７と、支持板２に取り付けられた一対のプッシュスイッチ８，９とによって概略構成されている。
【００２０】
支持板２はステンレス等の金属板材からなり、平坦状の平板部２ａには図示せぬ外部機器に取り付けるための取付片２ｂが形成されている。支持板２の平板部２ａには一対の起立片２ｃ，２ｄが略直角に折り曲げ形成されており、これら起立片２ｃ，２ｄは回転体６の回転方向に沿って約９０度離れた位置に設けられている。
【００２１】
受け部材３はＰＢＴ（ポリブチレンテレフタレート）等の合成樹脂材からなり、全体的に円筒状に形成されている。受け部材３の下端に複数のボス３ａが突設されており、各ボス３ａを平板部２ａに熱がしめすることにより、受け部材３は支持板２の平板部２ａ上に固定されている。図６に示すように、受け部材３の上面中央に軸孔３ｂが穿設されており、この軸孔３ｂの外側に所定範囲にわたって円弧状に延びるばね受け突起３ｃが形成されると共に、このばね受け突起３ｃの両端３ｅ，３ｆからほぼ等距離の位置にストッパ突起３ｄが形成されている。受け部材３の上面と後述する回転体６の下面との間に捩じりコイルばね７が配置され、この捩じりコイルばね７の円環部７ｃから延びる両腕部７ａ，７ｂがばね受け突起３ｃの両端３ｅ，３ｆにそれぞれ係止されている。
【００２２】
フレキシブル基板４はＰＥＴ（ポリエチレンテレフタレート）等の可撓性を有する絶縁性樹脂をベースフィルムとし、このベースフィルム上に可変抵抗器の抵抗体と集電体および両プッシュスイッチ８，９の固定接点がそれぞれ形成されている。すなわち、図８に示すように、このフレキシブル基板４は、略円形の抵抗基板部４ａと、この抵抗基板部４ａから突出する帯状のリード部４ｂと、抵抗基板部４ａに繋がれた一対の矩形状のスイッチ基板部４ｃ，４ｄとを備えており、抵抗基板部４ａには円弧状の集電体１０と抵抗体１１が同心円状に形成されている。カーボンパターンからなる抵抗体１１の下面には両端と中央に銀パターン１１ａ，１１ｂ，１１ｃが形成されており、両端の銀パターン１１ａ，１１ｂと集電体１０の一端は引き回しパターンを介してリード部４ｂの先端まで延びている。また、両スイッチ基板部４ｃ，４ｄにはそれぞれ銀ペーストあるいは、銀とカーボンとの混合ペーストを印刷形成してなる中央固定接点１２ａ，１３ａと周辺固定接点１２ｂ，１３ｂが形成されており、これら各固定接点１２ａ，１２ｂ，１３ａ，１３ｂも別の引き回しパターンを介してリード部４ｂの先端まで延びている。なお、集電体１０は銀パターンとこの銀パターンを覆うカーボンパターンとによって構成されている。
【００２３】
このように構成されたフレキシブル基板４のうち抵抗基板部４ａは支持板２の平板部２ａ上に載置され、この平板部２ａと前述した受け部材３とによって挟持固定される。その際、受け部材３の各ボス３ａが抵抗基板部４ａの周縁部に形成された孔１４や切欠き１５を挿通して平板部２ａに熱がしめされており、これによって平板部２ａと受け部材３および抵抗基板部４ａの三者が高精度に位置決めされる。また、フレキシブル基板４のリード部４ｂは支持板２の平板部２ａから外方へ延び、回転操作型電気部品１の出力端子部として機能する。さらに、フレキシブル基板４の両スイッチ基板部４ｃ，４ｄは抵抗基板部４ａに対して直角に折り曲げられ、支持板２の起立片２ｃ，２ｄにそれぞれ重ねられてプッシュスイッチ８，９を構成する。
【００２４】
図５に示すように、一方のプッシュスイッチ８は、起立片２ｃに対して順次積層されたスイッチ基板部４ｃとタクトばね１６および消音シート１７と、これら積層体を起立片２ｃに固定する枠体１８とによって構成されている。タクトばね１６は可動接点として機能するもので、リン青銅等の弾性に富む金属薄板をドーム状にフォーミングしたものからなり、反転時にクリック感を生起するようになっている。タクトばね１６の周縁部はスイッチ基板部４ｃに形成された周辺固定接点１２ｂと常時接触しているが、タクトばね１６の頂部はスイッチ基板部４ｃに形成された中央固定接点１２ａと離反しており、この状態でプッシュスイッチ８はオフとなっている。そして、タクトばね１６が反転して中央固定接点１２ａに接触すると、中央固定接点１２ａと周辺固定接点１２ｂがタクトばね１６を介して導通され、この状態でプッシュスイッチ８はオンに切り換わる。消音シート１７はシリコンゴム等の弾性に富むシート材からなり、タクトばね１６の上面に粘着剤等によって貼着されている。枠体１８はＰＢＴ等の合成樹脂材からなり、背面から突出するボス１８ａを起立片２ｃに熱がしめすることにより、スイッチ基板部４ｃとタクトばね１６および消音シート１７の三者は枠体１８と起立片２ｃとの間に挟持固定されている。この枠体１８には円形の開口１８ｂが穿設されており、消音シート１７の周縁部を除く大部分はこの開口１８ｂから露出している。なお、他方のプッシュスイッチ９の詳細図は省略するが、このプッシュスイッチ９はスイッチ基板部４ｃの代わりにスイッチ基板部４ｄを起立片２ｄに重ねている点が相違するだけで、それ以外のドーム状のタクトばねや消音シートあるいは枠体（いずれも図示せず）は前述したプッシュスイッチ８と同様に構成されている。
【００２５】
摺動子受け５はポリアセタール等の合成樹脂材からなり、全体的にリング状に形成されている。図４に示すように、摺動子受け５は受け部材３の内部に回転自在に収納されており、受け部材３の上部に配置された回転体６と一体化されている。摺動子受け５の下面に一対の摺動子１９，２０が熱がしめやアウトサート等によって取り付けられており、図８に摺動子１９，２０を仮想線（２点鎖線）で示すように、一方の摺動子１９はフレキシブル基板４の抵抗基板部４ａに形成された集電体１０に摺接し、他方の摺動子２０は同じく抵抗基板部４ａに形成された抵抗体１１に摺接している。
【００２６】
回転体６はポリアセタール等の合成樹脂材からなり、受け部材３の外周面とほぼ同径の円板部６ａと、円板部６ａの外周面から半径方向外側に突出する略Ｔ字状の押圧子６ｂとを有している。図１に示すように、円板部６ａの上面中央に略Ｄ字状の嵌合孔６ｃを有するボス６ｄが突設されており、このボス６ｄの外側に係合溝６ｅを有する環状壁６ｆが突設されている。一方、図７に示すように、円板部６ａの下面中央に回転体６の回転軸となる筒状部６ｇと円弧状のばね押え部６ｊとが突設されており、捩じりコイルばね７はこれら筒状部６ｇとばね押え部６ｊとの間に保持されている。すなわち、捩じりコイルばね７の円環部７ｃが筒状部６ｇに巻回されると共に、捩じりコイルばね７の両腕部７ａ，７ｂの円環部７ｃ側がばね押え部６ｊの両端６ｋ，６ｌにそれぞけ係止されている。筒状部６ｇの下端に複数の突起６ｍが形成されており、これら突起６ｍを摺動子受け５の孔に挿通して熱がしめすることにより、摺動子受け５と回転体６は一体化されている（図４参照）。また、円板部６ａの下面に一対の係合突起６ｈ，６ｉが形成されており、これら係合突起６ｈ，６ｉは円板部６ａの周方向に約９０度離れた位置に設けられている。図１のハッチングで示すように、受け部材３のストッパ突起３ｄは両係合突起６ｈ，６ｉの間に位置し、両係合突起６ｈ，６ｉがストッパ突起３ｄに当接することにより、回転体６とそれに一体化された摺動子受け５の回転角度は約９０度の範囲内に規制されるようになっている。さらに、図２に示すように、押圧子６ｂは両プッシュスイッチ８，９のほぼ中央を通る平面内に位置しており、後述するように、両プッシュスイッチ８，９は回転体６の回転末端位置で押圧子６ｂによって動作される。
【００２７】
このように構成された回転操作型電気部品１は外部機器であるビデオカメラに実装され、ズームイン・アウトの動作手段として用いられる。この場合、図１１に示すように、操作者によって操作される操作レバー２１が回転操作型電気部品１の回転体６に取り付けられ、この操作レバー２１を介して回転体６が回転操作されるが、以下の説明では操作レバー２１を省略してある。なお、操作レバー２１は嵌合孔６ｃに嵌合される軸部２１ａと係合溝６ｅに係止される係合突起２１ｂとを有し、操作者が軸部２１ａの上部から突出する指掛部２１ｃを回転操作することにより、回転体６と摺動子受け５は操作レバー２１と一体的に回転する。
【００２８】
まず、回転体６に回転操作力が付与されていない非操作状態において、捩じりコイルばね７の両腕部７ａ，７ｂは受け部材３に形成されたばね受け突起３ｃの両端３ｅ，３ｆにそれぞれ係止されており（図６参照）、これら腕部７ａ，７ｂからの弾発力によって回転体６と摺動子受け５は図１の中立位置に保持されている。この場合、一方の摺動子１９の先端（接点）は集電体１０の中央部に摺接し、他方の摺動子２０の先端（接点）は中央の銀パターン１１ｃ上の抵抗体１１に摺接しているため（図８参照）、例えば、抵抗体１１の両端に＋５Ｖを印加して使用する場合、図１０に示すように、フレキシブル基板４のリード部４ｂから＋２．５Ｖが出力される。
【００２９】
この中立位置から回転体６が図１の時計回り方向に回転すると、両摺動子１９，２０がそれぞれ集電体１０と抵抗体１１上を摺動し、リード部４ｂからの出力値が＋２．５Ｖから＋５Ｖ方向へ上昇するため、その出力値に応じて図示せぬモータの回転方向と回転速度を制御することにより、例えばズームイン方向のズーム率が変更される。そして、回転体６が時計回り方向へ約４５度回転して一方の末端位置まで達すると、回転体６の押圧子６ｂが一方のプッシュスイッチ８の消音シート１７を押圧し、この消音シート１７を介してタクトばね１６が押圧されるため、タクトばね１６が反転してプッシュスイッチ８はオフからオンへと切り換わる。したがって、リード部４ｂから出力されるプッシュスイッチ８のオン信号に基づいて、ズーム率を瞬時に最大にすることができる。かかるプッシュスイッチ８のオン動作時に、図９に示すように、回転体６の一方の係合突起６ｉが受け部材３のストッパ突起３ｄに当接し、回転体６のそれ以上の回転が阻止されるため、押圧子６ｂからタクトばね１６に無理な押圧力は加わらず、タクトばね１６の変形が確実に防止される。なお、このように回転体６が時計回り方向に回転すると、回転体６のばね押え部６ｊの一端６ｌが捩じりコイルばね７の一方の腕部７ｂを捩じりコイルばね７の弾発力に抗して押圧し、捩じりコイルばね７の一方の腕部７ｂがばね受け突起３ｃの一端３ｅから離反する。このとき、捩じりコイルばね７の他方の腕部７ａは、ばね受け突起３ｃの他端３ｆに係止されたままであるため（図６，図７参照）、捩じりコイルばね７に反時計回り方向の弾発力が蓄力されることとなり、回転体６に対する上記の回転操作力を除去すると、回転体６と摺動子受け５は図１に示す中立位置に自動復帰する。
【００３０】
これとは逆に、回転体６が中立位置から図１の反時計回り方向に回転すると、リード部４ｂからの出力値が＋２．５Ｖから０Ｖ方向へ減少するため、ズームアウト方向のズーム率が変更される。そして、回転体６が反時計回り方向へ約４５度回転して他方の末端位置まで達すると、回転体６の押圧子６ｂが他方のプッシュスイッチ９の図示せぬ消音シートを押圧し、このプッシュスイッチ９がオフからオンへと切り換わるため、そのオン信号に基づいてズーム率を瞬時に最小にすることができる。この場合は、他方の係合突起６ｈが受け部材３のストッパ突起３ｄに当接し、回転体６のそれ以上の回転が阻止されるため、プッシュスイッチ９に内蔵された図示せぬタクトばねの変形が確実に防止される。なお、このように回転体６が反時計回り方向に回転すると、捩じりコイルばね７の他方の腕部７ａがばね押え部６ｊの他端６ｋによって押圧されて、ばね受け突起３ｃの他端３ｆから離反する。このとき、捩じりコイルばね７の一方の腕部７ｂは、ばね受け突起３ｃの一端３ｅに係止されているため、捩じりコイルばね７に時計回り方向の弾発力が蓄力され、回転体６に対する上記の回転操作力を除去すると、回転体６と摺動子受け５は図１に示す中立位置に自動復帰する。
【００３１】
なお、図１０に示すように、プッシュスイッチ８，９がオンするのは出力電圧が変化しない領域、すなわち、摺動子２０が両端の銀パターン１１ａ，１１ｂ上の抵抗体１１に達した後としている。このように設定することにより、部品寸法や組立て時のバラツキ等に起因して特性がいずれか側にシフトしたとしても、出力電圧（抵抗値）が変化し終わった後に、両プッシュスイッチ８，９を確実にオン動作させることができる。
【００３２】
【発明の効果】
本発明は、以上説明したような形態で実施され、以下に記載されるような効果を奏する。
【００３３】
摺動子を有する回転体と、この回転体を回転自在に支持する受け部材と、前記回転体を中立位置に自動復帰させる弾性部材と、摺動パターンが形成された基板とを備え、前記回転体の回転に伴って前記摺動子が前記摺動パターン上を摺動する回転操作型電気部品において、前記回転体の両方の回転末端位置で動作されるスイッチを、前記回転体の両方の回転末端位置にそれぞれ設けると、回転体の回転末端位置でスイッチが動作されるため、ビデオカメラのズームイン・アウトの動作手段として用いた場合、回転体が回転末端位置に達したことをスイッチによって検出し、この検出信号に基づいてズーム率を瞬時に変更することができ、操作者にとって使い勝手を良好にすることができる。
【００３５】
また、スイッチとして可動接点が固定接点に対して接離するプッシュスイッチを用い、回転体にプッシュスイッチの可動接点を押圧するための押圧子を設けると共に、この押圧子が回転する回動面に対してプッシュスイッチを略直交するように配置すると、プッシュスイッチを回転体の回転末端位置を規制するストッパとして機能させることができる。
【００３６】
また、押圧子を回転体から半径方向に突設させ、プッシュスイッチを回転体の側方に配置すると、押圧子を含む回転体とプッシュスイッチとが高さ方向にオーバーラップして配置されるため、回転操作型電気部品の薄型化を図ることができる。
【００３７】
また、基板をフレキシブル基板とし、このフレキシブル基板の延出部にプッシュスイッチの固定接点を設けると、１枚のフレキシブル基板に摺動パターンとプッシュスイッチの固定接点とを形成することができ、部品点数の削減化や構造の簡略化を図ることができる。
【００３８】
また、受け部材をフレキシブル基板を介して支持板に固定し、この支持板にフレキシブル基板の延出部が固定される起立片を設けると、共通の支持板に受け部材とプッシュスイッチを固定することができ、組立作業と構造の簡略化を図ることができる。
【００３９】
また、プッシュスイッチの可動接点として反転時にクリック感を生起するドーム状のタクトばねを用いた場合、このタクトばね上に消音シートを積層すると、操作者はタクトばねの反転時に生起されるクリック感によって回転体が回転末端位置に達したことを知ることができ、かつ、回転体の押圧子が消音シートを介してプッシュスイッチの可動接点を押圧するため、プッシュスイッチの動作時の衝突音を消音シートによって低減することができる。
【００４０】
また、ドーム状のタクトばねを用いたクリック付きのプッシュスイッチの場合、このタクトばねが反転した後の回転体の過回転を阻止するストッパ部を受け部材に設けると、回転体の回転末端位置を規制するストッパ強度が高まり、回転体の過回転に起因するタクトばねの変形を防止することができる。
【００４１】
また、回転体の天面中央に嵌合部を設け、この嵌合部に係合する操作レバーを介して回転体を回転操作するように構成すると、嵌合部に係合する部分の形状を共通にすれば、操作レバーのデザインが変わっても回転操作型電気部品を共用することができ、回転操作型電気部品の汎用性が高まる。
【図面の簡単な説明】
【図１】実施例に係る回転操作型電気部品の平面図である。
【図２】該回転操作型電気部品の正面図である。
【図３】該回転操作型電気部品の底面図である。
【図４】図１のIV−IV線に沿う断面図である。
【図５】図２のＶ−Ｖ線に沿う断面図である。
【図６】受け部材と捩じりコイルばねの取り付け状態を示す平面図である。
【図７】回転体と捩じりコイルばねの取り付け状態を示す底面図である。
【図８】フレキシブル基板の平面図である。
【図９】回転体を末端位置まで回転した状態を一部破断して示す回転操作型電気部品の平面図である。
【図１０】回転操作型電気部品の出力特性を示す説明図である。
【図１１】回転操作型電気部品と操作レバーの斜視図である。
【符号の説明】
１  回転操作型電気部品
２  支持板
２ａ  平板部
２ｃ，２ｄ  起立片
３  受け部材
３ｃ  ばね受け突起
３ｄ  ストッパ突起
４  フレキシブル基板
４ａ  抵抗基板部
４ｂ  リード部
４ｃ，４ｄ  スイッチ基板部
５  摺動子受け
６  回転体
６ａ  円板部
６ｂ  押圧子
６ｃ  嵌合孔
６ｈ，６ｉ  係合突起
７  捩じりコイルばね
７ａ，７ｂ  腕部
７ｃ  円環部
８，９  プッシュスイッチ
１０  集電体
１１  抵抗体
１２ａ，１３ａ  中央固定接点
１２ｂ，１３ｂ  周辺固定接点
１６  タクトばね
１７  消音シート
１８  枠体
１９，２０  摺動子
２１  操作レバー
【図１】
0003663308.tif 000002
【図２】
0003663308.tif 000003
【図３】
0003663308.tif 000004
【図４】
0003663308.tif 000005
【図５】
0003663308.tif 000006
【図６】
0003663308.tif 000007
【図７】
0003663308.tif 000008
【図８】
0003663308.tif 000009
【図９】
0003663308.tif 000010
【図１０】
0003663308.tif 000011
【図１１】
0003663308.tif 000012